(57)【要約】【課題】ヒンジ部を保護する。【解決手段】コネクタ収容箱１００は、本体部１と、蓋部２と、ヒンジ部３と、突起部４と、を備える。本体部１は、第１壁１１を有する。蓋部２は、ヒンジ部３により本体部１に対して開閉可能であり、閉じられたときに、第１壁１１の厚み方向である前後方向に交差する方向（上下方向）で本体部１と向かい合う。ヒンジ部３は、前後方向及び上下方向のそれぞれに交差する方向（左右方向）に延びる。突起部４は、左右方向でヒンジ部３を挟むように対で配置され、それぞれが前後方向で第１壁１１から本体部１の外側に突出する。対で配置された突起部４の間でヒンジ部３は１つのみ形成される。本体部１は、第１壁１１の縁部から上下方向へ延びる第１延設部５１を備える。第１延設部５１の上端部は、突起部４の上端部よりも、本体部１から遠い。第１延設部５１の左右方向での端部は、左右の突起部４よりも、ヒンジ部３の左右中央から遠い。【選択図】図３
2020072515.tif 000002
【特許請求の範囲】
【請求項１】
第１壁を有する収容本体と、
前記収容本体に対して開閉可能であり、閉じられたときに、前記第１壁の厚み方向に交差する第１方向で前記収容本体と向かい合うカバーと、
前記収容本体と前記カバーとを接続し、前記厚み方向及び前記第１方向のそれぞれに交差する第２方向に延びるヒンジ部と、
前記第２方向で前記ヒンジ部を挟むように対で配置され、それぞれが前記第１壁の前記厚み方向で当該第１壁から前記収容本体の外側に突出する突起部と、
を備え、
対で配置された前記突起部の間で前記ヒンジ部は１つのみ形成され、
前記収容本体は、前記第１壁の縁部から前記第１方向へ延びる第１延設部を備え、
前記第１方向において前記第１壁から遠い側の前記第１延設部の端部は、前記第１方向において前記第１壁から遠い側の前記突起部の端部よりも、前記収容本体から遠く、
前記ヒンジ部における前記第２方向での中央部分をヒンジ中央と呼ぶときに、前記第１延設部の前記第２方向での端部は、当該端部と同じ側に配置された前記突起部における前記ヒンジ中央から前記第２方向で遠い側の端部よりも、前記ヒンジ中央から遠いことを特徴とするプロテクタ。
【請求項２】
請求項１に記載のプロテクタであって、
前記カバーは中空状に形成され、
前記カバーが閉じられた状態において、前記第１延設部は、前記カバーの内部空間に位置することを特徴とするプロテクタ。
【請求項３】
請求項１又は２に記載のプロテクタであって、
前記収容本体は、
前記第１壁の一端と接続するように一体的に形成された第２壁と、
前記第２壁の縁部から前記第１方向へ延びる第２延設部と、
を備え、
前記第１延設部及び前記第２延設部は一体的に形成されていることを特徴とするプロテクタ。
【請求項４】
請求項１から３までの何れか一項に記載のプロテクタであって、
前記突起部と前記ヒンジ部との間に形成される前記第２方向の隙間が、前記突起部の前記第２方向での幅と比べて短いことを特徴とするプロテクタ。
【請求項５】
請求項１から４までの何れか一項に記載のプロテクタであって、
前記カバーが閉じられた状態において、前記第２方向における前記ヒンジ部の両端部の厚みは、中央部に比べて大きいことを特徴とするプロテクタ。
【請求項６】
請求項５に記載のプロテクタであって、
前記突起部と前記ヒンジ部との間に形成される前記第２方向の隙間が、前記ヒンジ部の両端部において厚みが大きくなっている部分の前記第２方向での幅と比べて短いことを特徴とするプロテクタ。
【請求項７】
請求項１から６までの何れか一項に記載のプロテクタであって、
前記突起部は、前記カバーが閉じられた状態において、前記カバーと隙間をあけて対面しており、
前記カバーが閉じられた状態において、前記第１壁の厚み方向における当該カバーと前記突起部との間の隙間は、前記第１壁の厚みより小さいことを特徴とするプロテクタ。
【請求項８】
請求項１から７までの何れか一項に記載のプロテクタであって、
前記カバーは中空に形成され、
前記カバーが閉じられた状態において、前記第１延設部は、前記カバーの内部空間に位置しており、
前記カバーの内壁には、複数のリブが内部空間に突出するように形成され、
前記カバーが閉じられた状態で、複数の前記リブのうち少なくとも何れかは、前記第１延設部よりも前記第１壁から前記第１方向で遠い位置に設けられていることを特徴とするプロテクタ。
【請求項９】
請求項８に記載のプロテクタであって、
前記カバーが閉じられた状態で、前記リブが前記第１延設部に近接している部分は、当該第１延設部が前記カバーの内部空間の中央を向く面よりも、前記第１延設部の厚み方向において前記カバーの内部空間に向けて突出していることを特徴とするプロテクタ。
【請求項１０】
請求項１から９までの何れか一項に記載のプロテクタであって、
前記突起部において、閉じられた状態の前記カバーから遠い側に位置する部分には、前記カバーから離れるにつれて前記第１壁からの突出量が小さくなる傾斜面が形成されていることを特徴とするプロテクタ。
【請求項１１】
請求項１から１０までの何れか一項に記載のプロテクタであって、
前記カバーは、その内部空間を形成するカバー壁を備え、
前記カバー壁には、
前記カバーが閉じられた状態において前記収容本体に近い側が開放された開放凹部と、
前記開放凹部の周縁に沿って形成され、前記カバー壁の厚み方向で外側に突出する周縁リブと、
が形成され、
前記周縁リブは、前記第２方向における前記第１延設部の端部よりも、前記第２方向で外側に位置することを特徴とするプロテクタ。
【発明の詳細な説明】
【技術分野】
【０００１】
本発明は、ヒンジ部を介して開閉可能なプロテクタに関する。
【背景技術】
【０００２】
従来から、ヒンジ部を用いて開閉可能であって、その内部にコネクタやワイヤハーネス等を収容するプロテクタが知られている。特許文献１は、この種のプロテクタであるバッテリー端子用カバーを開示する。
【０００３】
特許文献１のバッテリー端子用カバーは、蓋部と収容空間を有する本体部とを連結するヒンジ部を保護するための手段として、ヒンジ部の近傍に本体部の外面から突出する突起部を設ける構成となっている。
【先行技術文献】
【特許文献】
【０００４】
【特許文献１】特開２０１７−９１６５０号公報
【発明の概要】
【発明が解決しようとする課題】
【０００５】
しかし、上記特許文献１の構成において、蓋部を閉じるとき、突起部の近傍において本体部と蓋部との間で例えば電線を挟み込んでしまう場合があり、電線が傷ついたりプロテクタが破損したりするおそれがあった。
【０００６】
本発明は以上の事情に鑑みてされたものであり、その目的は、ヒンジ部を保護することができるとともに、物の挟み込みを回避できるプロテクタを提供することにある。
【課題を解決するための手段及び効果】
【０００７】
本発明の解決しようとする課題は以上の如くであり、次にこの課題を解決するための手段とその効果を説明する。
【０００８】
本発明の観点によれば、以下の構成のプロテクタが提供される。即ち、このプロテクタは、収容本体と、カバーと、ヒンジ部と、突起部と、を備える。前記収容本体は、第１壁を有する。前記カバーは、前記収容本体に対して開閉可能であり、閉じられたときに、前記第１壁の厚み方向に交差する第１方向で前記収容本体と向かい合う。前記ヒンジ部は、前記収容本体と前記カバーとを接続し、前記厚み方向及び前記第１方向のそれぞれに交差する第２方向に延びる。前記突起部は、前記第２方向で前記ヒンジ部を挟むように対で配置され、それぞれが前記第１壁の前記厚み方向で当該第１壁から前記収容本体の外側に突出する。対で配置された前記突起部の間で前記ヒンジ部は１つのみ形成される。前記収容本体は、前記第１壁の縁部から前記第１方向へ延びる第１延設部を備える。前記第１方向において前記第１壁から遠い側の前記第１延設部の端部は、前記第１方向において前記第１壁から遠い側の前記突起部の端部よりも、前記収容本体から遠い。前記ヒンジ部における前記第２方向での中央部分をヒンジ中央と呼ぶときに、前記第１延設部の前記第２方向での端部は、当該端部と同じ側に配置された前記突起部における前記ヒンジ中央から前記第２方向で遠い側の端部よりも、前記ヒンジ中央から遠い。
【０００９】
このように、ヒンジ部が延びる方向において、ヒンジ部の両側に突起部を設けることで、ヒンジ部の両端を保護し、破損等を防止することができる。また、蓋部を開いたときに、本体部とカバーとの間で突起部がない部分に異物が入り込むことを、第１延設部によって防止できる。
【００１０】
前記のプロテクタにおいては、以下の構成とすることが好ましい。即ち、前記カバーは中空状に形成される。前記カバーが閉じられた状態において、前記第１延設部は、前記カバーの内部空間に位置する。
【００１１】
これにより、カバーを閉じるときにヒンジ部の近傍で収容本体とカバーとの間に異物が挟まれるのを第１延設部によって防止できるので、ヒンジ部の破損等を回避することができる。
【００１２】
前記のプロテクタにおいては、以下の構成とすることが好ましい。即ち、前記収容本体は、第２壁と、第２延設部と、を備える。前記第２壁は、前記第１壁の一端と接続するように一体的に形成される。前記第２延設部は、前記第２壁の縁部から前記第１方向へ延びる。前記第１延設部及び前記第２延設部は一体的に形成されている。
【００１３】
これにより、カバーを閉じるときに第２壁とカバーとの間に異物が挟まれるのを第２延設部によって防止できる。また、第１延設部及び第２延設部が一体的に形成されているので、機械的な強度を確保でき、第１延設部及び第２延設部の変形及び破損を防止できる。
【００１４】
前記のプロテクタにおいては、前記突起部と前記ヒンジ部との間に形成される前記第２方向の隙間が、前記突起部の前記第２方向での幅と比べて短いことが好ましい。
【００１５】
これにより、突起部とヒンジ部との間に異物が挟まりにくくすることができる。また、突起部をヒンジ部に近い位置に設けることで、ヒンジ部の両端を保護することができる。
【００１６】
前記のプロテクタにおいて、前記カバーが閉じられた状態において、前記第２方向における前記ヒンジ部の両端部の厚みは、中央部に比べて大きいことが好ましい。
【００１７】
これにより、ヒンジ部が特に外部と接触して破損し易い部分について、機械的強度を増加させることができる。
【００１８】
前記のプロテクタにおいては、前記突起部と前記ヒンジ部との間に形成される前記第２方向の隙間が、前記ヒンジ部の両端部において厚みが大きくなっている部分の前記第２方向での幅と比べて短いことが好ましい。
【００１９】
これにより、突起部とヒンジ部との間に異物が挟まりにくくすることができる。また、突起部をヒンジ部に近い位置に設けることで、ヒンジ部の両端を保護することができる。
【００２０】
前記のプロテクタにおいては、以下の構成とすることが好ましい。即ち、前記突起部は、前記カバーが閉じられた状態において、前記カバーと隙間をあけて対面している。前記カバーが閉じられた状態において、前記第１壁の厚み方向における当該カバーと前記突起部との間の隙間は、前記第１壁の厚みより小さい。
【００２１】
これにより、カバーと突起との間の隙間に異物が挟まりにくくすることができる。
【００２２】
前記のプロテクタにおいては、以下の構成とすることが好ましい。即ち、前記カバーは中空に形成される。前記カバーが閉じられた状態において、前記第１延設部は、前記カバーの内部空間に位置している。前記カバーの内壁には、複数のリブが内部空間に突出するように形成される。前記カバーが閉じられた状態で、複数の前記リブのうち少なくとも何れかは、前記第１延設部よりも前記第１壁から前記第１方向で遠い位置に設けられている。
【００２３】
これにより、カバーの強度を向上することができる。また、カバーを閉じる際に、リブと第１延設部とが干渉することを回避できる。
【００２４】
前記のプロテクタにおいては、前記カバーが閉じられた状態で、前記リブが前記第１延設部に近接している部分は、当該第１延設部が前記カバーの内部空間の中央を向く面よりも、前記第１延設部の厚み方向において前記カバーの内部空間に向けて突出していることが好ましい。
【００２５】
これにより、カバーを閉じるとき、リブにより収容物を収容空間の中央側へ寄せることができる。従って、収容物が第１延設部とカバーとの間に挟まるのを確実に回避することができる。
【００２６】
前記のプロテクタにおいては、前記突起部において、閉じられた状態の前記カバーから遠い側に位置する部分には、前記カバーから離れるにつれて前記第１壁からの突出量が小さくなる傾斜面が形成されていることが好ましい。
【００２７】
これにより、突起部に物が引っ掛かりにくくなるので、突起部の破損を回避することができる。
【００２８】
前記のプロテクタにおいては、以下の構成とすることが好ましい。即ち、前記カバーは、その内部空間を形成するカバー壁を備える。前記カバー壁には、開放凹部と、周縁リブと、が形成される。前記開放凹部は、前記カバーが閉じられた状態において前記収容本体に近い側が開放される。前記周縁リブは、前記開放凹部の周縁に沿って形成され、前記カバー壁の厚み方向で外側に突出する。前記周縁リブは、前記第２方向における前記第１延設部の端部よりも、前記第２方向で外側に位置する。
【００２９】
これにより、開放凹部の強度を周縁リブによって向上することができる。また、周縁リブと第１延設部との干渉を回避することができる。また、カバーが閉じられた状態において、周縁リブは、開放凹部の外側から（第２方向で）見たときに第１延設部とカバーとの間の隙間を覆う形になるので、第１延設部とカバーとの間に異物が挟まることを回避することができる。
【図面の簡単な説明】
【００３０】
【図１】本発明の一実施形態に係るコネクタ収容箱を前方から見た斜視図。
【図２】蓋部が開いた状態のコネクタ収容箱の構成を示す平面図。
【図３】コネクタ収容箱を後方から見た斜視図。
【図４】コネクタ収容箱の背面図。
【図５】図３のＢ−Ｂ断面矢視図。
【図６】図１のＡ−Ａ断面矢視図。
【図７】コネクタ収容箱の左側面図。
【図８】図２において、２つの突起部のうち一方を詳細に示す拡大図。
【発明を実施するための形態】
【００３１】
次に、図面を参照して本発明の実施の形態を説明する。図１は、本発明の一実施形態に係るコネクタ収容箱１００の斜視図である。図２は、蓋部２が開いた状態のコネクタ収容箱１００の構成を示す平面図である。図３は、図１と異なる方向でコネクタ収容箱１００を見た斜視図である。図４は、コネクタ収容箱１００の背面図である。
【００３２】
図１から図４までに示すコネクタ収容箱（プロテクタ）１００は、例えば、合成樹脂を射出成形することにより形成される。
【００３３】
コネクタ収容箱１００は、例えば、自動車等の助手席の下側のダッシュボード内に設けられる。コネクタ収容箱１００は、車両用ワイヤハーネス（図略）のコネクタを収容し保持する。
【００３４】
コネクタ収容箱１００の内部には、互いに電気的に接続される複数組のコネクタ対を配置することができる。それぞれのコネクタ対において、一方のコネクタはコネクタ収容箱１００に固定され、当該コネクタに他方のコネクタが装着されることにより電気的接続が行われる。以下の説明においては、コネクタ対のうち、コネクタ収容箱１００の内部に固定されたコネクタを保持側コネクタと呼び、保持側コネクタに接続する相手側のコネクタを挿抜側コネクタと呼ぶことがある。コネクタ収容箱１００には、保持側コネクタ及び挿抜側コネクタに加えて、各コネクタに接続される電線（電線束）の一部も収容される。
【００３５】
コネクタ収容箱１００は、例えば図２に示すように、本体部（収容本体）１と、蓋部（カバー）２と、ヒンジ部３と、突起部４と、を備える。本体部１、蓋部２、ヒンジ部３、及び突起部４は、一体的に形成されている。蓋部２は、ヒンジ部３により、本体部１に対して回転可能に設けられている。
【００３６】
以下の説明では、コネクタ収容箱１００の各部の位置関係を説明するときに、閉じられた状態の蓋部２が本体部１に対して位置する側を上と呼び、本体部１が蓋部２に対して位置する側を下と呼ぶことがある。また、蓋部２が閉じられた状態のコネクタ収容箱１００において、ヒンジ部３が位置する側を後と呼び、その反対側を前と呼ぶことがある。上下方向にも前後方向にも垂直な方向が左右方向である。図１等には、各方向が矢印で示されている。
【００３７】
上下方向（第１方向）は、蓋部２を閉じたときに本体部１と蓋部２とが向かい合う方向と言い換えることができ、左右方向（第２方向）は、ヒンジ部３のヒンジ軸に平行な方向と言い換えることができる。ただし、上下左右等の向きは単に説明の便宜のためのものであり、コネクタ収容箱１００が配置される向きを限定するものではない。
【００３８】
本体部１は、上下方向の両側を開放させた中空の略直方体状に形成されている。保持側コネクタは、本体部１の下側の開放部からその内部に挿入され、挿抜側コネクタは、本体部１の上側の開放部からその内部に挿入される。本体部１の内部において、保持側コネクタと挿抜側コネクタが互いに接続され、本体部１により保持される。
【００３９】
本体部１は、図２等に示すように、第１壁１１と、第２壁１２と、第３壁１３と、第４壁１４と、延設部５と、を備える。
【００４０】
第１壁１１は、略平板状に形成され、その厚み方向を前後方向に向けて配置されている。詳細は後述するが、第１壁１１にはヒンジ部３が配置される。第１壁１１は、左右方向の一端で第２壁１２と垂直に接続し、他端で第４壁１４と垂直に接続する。
【００４１】
第２壁１２は、略平板状に形成され、その厚み方向を左右方向に向けて配置されている。第２壁１２は、前後方向の一端で第１壁１１と垂直に接続し、他端で第３壁１３と垂直に接続する。
【００４２】
第３壁１３は、略平板状に形成され、第１壁１１と平行になるように配置されている。第３壁１３は、左右方向の一端で第２壁１２と垂直に接続し、他端で第４壁１４と垂直に接続する。
【００４３】
第４壁１４は、略平板状に形成され、第２壁１２と平行になるように配置されている。第４壁１４は、前後方向の一端で第１壁１１と垂直に接続し、他端で第３壁１３と垂直に接続する。
【００４４】
このように、４つの壁を互いに接続することにより、本体部１に内部空間としての第１収容空間Ｓ１が形成される。第１壁１１と第３壁１３とは、第１収容空間Ｓ１を挟んで前後方向で対面するように配置される。第２壁１２と第４壁１４とは、第１収容空間Ｓ１を挟んで左右方向で対面するように配置される。
【００４５】
本体部１には仕切部１８が一体的に形成されている。第１収容空間Ｓ１は、仕切部１８によって複数の空間に分けられている。それぞれの保持側コネクタは、本体部１の下側から各空間内に差し込まれることにより、第１収容空間Ｓ１に収容される。
【００４６】
第１収容空間Ｓ１において区画される小さな空間の内壁に、図略のコネクタ固定部が形成されている。これにより、保持側コネクタを第１収容空間Ｓ１に収容した状態で固定することができるので、挿抜側コネクタを保持側コネクタに対して容易に挿抜することができる。
【００４７】
図１及び図２に示すように、第３壁１３の外側の面には、固定部１６と、引掛部１７と、が形成されている。
【００４８】
固定部１６は、コネクタ収容箱１００を外部の取付け部（図略）に固定する。図１には、固定部１６の形状の例として、スライド式固定部１６ａ、及び、引掛け式固定部１６ｂが示されている。ただし、固定部１６の構成は、外部に設けられた取付け部の形状等を考慮して様々に変更することができる。
【００４９】
引掛部１７は、蓋部２を閉じた状態でロックすることができる。引掛部１７は、第３壁１３の外側の面から図１に示すように略Ｌ字状に突出した部分の先端に鉤状に形成されている。引掛部１７は、蓋部２に形成された後述の引掛孔部２７に引っ掛かることによって、蓋部２を本体部１にロックする。
【００５０】
図１等に示すように、第４壁１４にはワイヤハーネスガイド部９が一体的に形成されている。このワイヤハーネスガイド部９は、本体部１から引き出されたワイヤハーネスの電線を案内する。
【００５１】
延設部５は、第１壁１１、第２壁１２、及び第３壁１３における、蓋部２で閉じられる側（上側）の縁部に一体的に形成されている。
【００５２】
蓋部２が閉じられた状態で、延設部５は、蓋部２の内部に形成された第２収容空間Ｓ２に配置される。具体的には、蓋部２が閉じられた状態で、延設部５は、各壁の端面から、蓋部２が備える第５蓋壁２５に近づくように、本体部１のそれぞれの壁に沿う向きで延びている。なお、第２収容空間Ｓ２及び第５蓋壁２５の詳細は後述する。延設部５は、それぞれの壁の厚みより少し薄く形成されている。従って、蓋部２の内部空間を広く確保することができる。
【００５３】
延設部５は、第１延設部５１と、第２延設部５２と、第３延設部５３と、を備える。第１延設部５１、第２延設部５２及び第３延設部５３は、一体的に形成されている。
【００５４】
第１延設部５１は、第１壁１１の上端面から上側に延びるように形成されている。第１延設部５１は、略平板状に形成され、その厚み方向を前後方向に向けて配置されている。第１延設部５１は、左右方向の一端で第２延設部５２と垂直に接続する。
【００５５】
第２延設部５２は、第２壁１２の上端面から上側に延びるように形成されている。第２延設部５２は、略平板状に形成され、その厚み方向を左右方向に向けて配置されている。第２延設部５２は、前後方向の一端で第１延設部５１と垂直に接続し、他端で第３延設部５３と垂直に接続する。
【００５６】
第３延設部５３は、第３壁１３の上端面から上側に延びるように形成されている。第３延設部５３は、略平板状に形成され、その厚み方向を前後方向に向けて配置されている。第３延設部５３は、左右方向の一端で第２延設部５２と垂直に接続する。
【００５７】
このように、第１延設部５１、第２延設部５２、及び第３延設部５３のうち隣接する同士が互いに一体的に結合されることで、延設部５の機械的な強度を全体的に高めることができる。
【００５８】
蓋部２は、一側を開放させた中空の略直方体状に形成される。蓋部２が閉じられるとき、蓋部２の開放部は、本体部１に形成されている開放部と接合される。蓋部２の開放部は、本体部１の開放部よりも若干大きく形成されている。これにより、図１の鎖線に示すように蓋部２を閉じると、本体部１を構成する４つの壁の縁部、及び、本体部１に形成された延設部５が、蓋部２に形成された後述の第２収容空間Ｓ２内に収容される。
【００５９】
蓋部２は、第１蓋壁２１と、第２蓋壁２２と、第３蓋壁２３と、第４蓋壁（カバー壁）２４と、第５蓋壁２５と、リブ２６と、を備える。
【００６０】
第１蓋壁２１は、本体部１の第１壁１１に対応する位置に設けられる。第１蓋壁２１にはヒンジ部３が配置される。第１蓋壁２１は、左右方向の一端で第２蓋壁２２と垂直に接続し、他端で第４蓋壁２４と垂直に接続する。
【００６１】
第２蓋壁２２は、本体部１の第２壁１２に対応する位置に設けられる。第２蓋壁２２は、前後方向の一端で第１蓋壁２１と垂直に接続し、他端で第３蓋壁２３と垂直に接続する。
【００６２】
第３蓋壁２３は、本体部１の第３壁１３に対応する位置に設けられる。第３蓋壁２３は、左右方向の一端で第２蓋壁２２と垂直に接続し、他端で第４蓋壁２４と垂直に接続する。
【００６３】
第４蓋壁２４は、本体部１の第４壁１４に対応する位置に設けられる。第４蓋壁２４は、前後方向の一端で第３蓋壁２３と垂直に接続し、他端で第１蓋壁２１と垂直に接続する。
【００６４】
第５蓋壁２５は、４つの蓋壁の上側において、当該４つの蓋壁のそれぞれに接続している。
【００６５】
このように、５つの蓋壁のうち隣接する同士を互いに接続することにより、蓋部２に内部空間としての第２収容空間Ｓ２が形成される。第１蓋壁２１と第３蓋壁２３とは、第２収容空間Ｓ２を挟んで前後方向で対面するように配置される。第２蓋壁２２と第４蓋壁２４とは、第２収容空間Ｓ２を挟んで左右方向で対面するように配置される。第２収容空間Ｓ２には、挿抜側コネクタに接続される電線（電線束）の一部が収容される。
【００６６】
第３蓋壁２３の外側の面には、外部に突出する引掛孔部２７が形成されている。当該引掛孔部２７は、図１に示すように、本体部１の第３壁１３に形成された引掛部１７に対応する位置に形成されている。この引掛孔部２７に引掛部１７を引っ掛けて固定することで、蓋部２を閉じた状態で本体部１にロックすることができる。
【００６７】
第４蓋壁２４には、図１及び図３に示すように、開放凹部２８と、周縁リブ２９と、が形成されている。
【００６８】
開放凹部２８は、蓋部２の開放側と同じ側が開放された略Ｕ字状に形成されている。開放凹部２８は、第２収容空間Ｓ２と、蓋部２の外部とを、互いに接続する。当該開放凹部２８を介して、蓋部２により収容される電線等がコネクタ収容箱１００の外部へ引き出される。
【００６９】
周縁リブ２９は、開放凹部２８の周縁部に沿って、第４蓋壁２４から外側に少し突出するように形成されている。これにより、開放凹部２８の周縁部の強度を高めることができる。
【００７０】
図５に示すように、蓋部２が閉じられた状態において、当該周縁リブ２９は、第１延設部５１の左右方向の端部より外側（具体的には、第１延設部５１の右端Ｅ３より右側）に位置する。これにより、蓋部２を閉じたときに周縁リブ２９が第１延設部５１と干渉しないようにすることができる。
【００７１】
更に、蓋部２が閉じられた状態では、第１延設部５１の右端Ｅ３と開放凹部２８の周縁とが近接している。そして、周縁リブ２９は、開放凹部２８の外側から蓋部２を（左右方向で）見たときに、第１延設部５１と蓋部２の第１蓋壁２１との間の隙間を当該周縁リブ２９が覆うように、第２収容空間Ｓ２に近づくに従って開放凹部２８が窄まるように形成されている。これにより、周縁リブ２９と第１延設部５１との間に電線等が挟み込まれにくくなるとともに、周縁リブ２９と第１蓋壁２１との間に異物が挟まることを回避できる。
【００７２】
リブ２６は、例えば図６に示すように、第１蓋壁２１、第５蓋壁２５、及び第３蓋壁２３から第２収容空間Ｓ２内に突出するように形成されている。第１蓋壁２１及び第３蓋壁２３においては、リブ２６は上下方向に延び、第５蓋壁２５においては、リブ２６は前後方向に延びている。リブ２６は、左右方向に並べて複数設けられている。
【００７３】
蓋部２を閉じたときに、それぞれのリブ２６において第１蓋壁２１の内壁から突出する部分（例えば、図５に示す端部２６ａ）は、第１延設部５１が第２収容空間Ｓ２に向く面よりも、第２収容空間Ｓ２の中央部に向けて更に突出していることが好ましい。これにより、蓋部２を閉じるとき、当該リブ２６によって、電線等を第２収容空間Ｓ２の中央側に寄せることができるので、電線等が蓋部２と延設部５との間に挟み込まれることを防止できる。
【００７４】
図５に示すように、蓋部２が閉じられた状態において、第１蓋壁２１に形成されたそれぞれのリブ２６の端部２６ａは第１延設部５１の上方に位置する。これにより、蓋部２を閉じるとき、第２収容空間Ｓ２内に突出するリブ２６が延設部５に干渉することを回避できる。
【００７５】
図５に示すように、蓋部２が閉じられた状態において、当該端部２６ａと第１延設部５１の上縁との隙間が小さいことが好ましい。これにより、電線等の挟み込みを回避することができる。
【００７６】
ヒンジ部３は、図２に示すように、本体部１の第１壁１１と、蓋部２の第１蓋壁２１と、を連結する。ヒンジ部３は、左右方向に延びて形成されている。ヒンジ部３は可撓性を有しており、このヒンジ部３を介して、蓋部２が、当該ヒンジ部３を中心として本体部１に対して図１の白抜き矢印に示す方向に回転することができる。
【００７７】
本実施形態のヒンジ部３は、図３及び図４に示すように、ヒンジ本体３０と、厚み部３１と、を備える。
【００７８】
ヒンジ本体３０は、直線状に細長く延びるように形成されている。ヒンジ本体３０は１つだけ備えられており、第１壁１１の上縁部及び第１蓋壁２１の下縁部の長手方向の殆どにわたって形成されている。図６に示すように蓋部２を１８０°開いた状態で、ヒンジ本体３０は細長い薄板状となる。ヒンジ本体３０を変形させることで、蓋部２は、図１の鎖線に示す閉状態と、実線に示す開状態と、の間で回転可能となっている。
【００７９】
厚み部３１は、図３及び図４に示すように、ヒンジ本体３０の長手方向両端部のそれぞれに形成される。厚み部３１は、薄板状のヒンジ本体３０の厚みを大きくするように形成されている。これにより、破損し易いヒンジ本体３０の両端部の強度を向上させることができる。
【００８０】
突起部４は、図３、図４及び図８に示すように、ヒンジ部３の両側のそれぞれにおいて、ヒンジ部３との間に隙間Ｄ１をあけて１つずつ設けられている。即ち、突起部４は、コネクタ収容箱１００の長手方向において、ヒンジ部３を両側から挟むように２つ設けられている。突起部４は、第１壁１１から外側に突出するブロック状に形成されている。
【００８１】
本実施形態では、突起部４とヒンジ部３との間の隙間Ｄ１は、左右方向での突起部４の幅Ｗ１より小さく、かつ、左右方向での厚み部３１の幅Ｗ２より小さくなっている（Ｄ１＜Ｗ１、Ｄ１＜Ｗ２）。これにより、突起部４とヒンジ部３との間に形成された隙間Ｄ１に電線等が挟み込まれにくくすることができる。また、ヒンジ部３に近い位置に突起部４を形成することで、ヒンジ部３の両端部を一層好適に保護することができる。
【００８２】
言い換えれば、本実施形態では、左右方向での厚み部３１の幅Ｗ２は、突起部４とヒンジ部３との間の隙間Ｄ１より大きくなっている（Ｗ２＞Ｄ１）。これにより、仮に上記隙間Ｄ１に異物が挟み込まれた場合でも、当該異物の大きさは、厚み部３１の幅Ｗ２より小さいサイズとなる。従って、異物によって厚み部３１に加わる力に対して、厚み部３１の機械的強度を確保することが容易であるので、ヒンジ部３の破損を良好に回避することができる。
【００８３】
蓋部２が１８０°開かれた状態における第１蓋壁２１と突起部４との間の距離（図８に示す距離Ｄ２）は、可能な限り狭くすることが好ましい。即ち、第１壁１１から突出する突起部４の突出量が、蓋部２の開閉に干渉しない限り大きくすることが好ましい。突起部４と蓋部２の第１蓋壁２１との間に形成される隙間を狭くすることで、異物の挟み込みを防止することができる。
【００８４】
図３に示すように、本実施形態の突起部４が第１壁１１から後方へ突出する突出量は、蓋部２が閉じられた状態（言い換えれば、ヒンジ部３が折り畳まれた状態）でヒンジ部３が第１壁１１から後方へ突出する突出量とほぼ同じとなっている。これにより、蓋部２が閉じられた状態において、ヒンジ部３が突起部４よりも後側に突出せず、ヒンジ部３を良好に保護することができる。
【００８５】
突起部４は、図３、図４及び図７に示すように、第１壁１１の上端よりも上側に延出している。従って、図１、図６及び図７に示すように、突起部４と第１延設部５１との間には、相対的に凹状となっている凹部８が形成されている。この凹部８には、蓋部２の第１蓋壁２１の一部を収容することができる。
【００８６】
図７に示すように、蓋部２を閉じる際に、第１蓋壁２１の内壁面が、第１延設部５１において外側を向く面に対面するように、第１蓋壁２１の下端が凹部８に差し込まれる。
【００８７】
前後方向における凹部８の幅Ｗ３は、第１蓋壁２１の厚みより少しだけ大きく形成することが好ましい。これにより、蓋部２を閉じる際に、円弧軌跡を描いて移動する第１蓋壁２１を円滑に凹部８内に差し込むことができる。一方で、凹部８の幅Ｗ３をあまり大きくしないようにすることで、電線等の挟み込みを回避することができる。
【００８８】
蓋部２が閉じられた状態において、突起部４と蓋部２とが前後方向で対面している部分の隙間（図７に示す隙間Ｄ３）は、本体部１の第１壁１１の厚みより小さく、かつ、第１延設部５１の厚みより小さい。このように、当該隙間Ｄ３を狭くすることで、電線等の挟み込みを回避することができる。
【００８９】
第１延設部５１が第１壁１１から上方へ突出する端部は、左右の対で配置される突起部４が第１壁１１から上方へ突出する端部よりも、下方に位置する。即ち、第１延設部５１の上端Ｅ１は、突起部４の上端Ｅ２よりも、第１壁１１から遠い。
【００９０】
左右の対で配置される突起部４は何れも、図４に示すように、第１延設部５１の左右方向の両端部より内側に位置する。即ち、第１延設部５１の右端Ｅ３は、ヒンジ部３の左右方向中央（以下、ヒンジ中央と呼ぶことがある。）から見て、突起部４の右端Ｅ５よりも遠くまで延びている。同様に、第１延設部５１の左端Ｅ４は、ヒンジ中央から見て、突起部４の左端Ｅ６よりも遠い。
【００９１】
このように、第１延設部５１が突起部４よりも上下方向及び左右方向（ヒンジ部３の長手方向外側）に突出しているので、蓋部２を開いた状態でも、突起部４の近傍において、本体部１と蓋部２との間で電線等が挟み込まれるのを第１延設部５１により回避することができる。
【００９２】
突起部４には、図３及び図４に示すように、第１傾斜面（傾斜面）４１と、第２傾斜面４２と、が形成されている。
【００９３】
第１傾斜面４１は、突起部４の下側（即ち、閉じられた状態の蓋部２から遠い側）の部分に設けられている。第１傾斜面４１は、閉じられた状態の蓋部２から離れるに従って第１壁１１から突出する突出量が小さくなるように形成されている。これにより、たとえ突起部４の下部が外部の物体と接触したとしても、その物体を斜めに滑らせるように案内することで、突起部４への引っ掛かりを回避できる。この結果、突起部４及びヒンジ部３が破損しないように保護することができる。
【００９４】
第２傾斜面４２は、図２及び図８に示すように、突起部４のうち左右方向でヒンジ部３から遠い側の部分に設けられている。第２傾斜面４２は、左右方向でヒンジ部３から離れるに従って第１壁１１から突出する突出量が小さくなるように形成されている。これにより、突起部４においてヒンジ部３から遠い部分が外部の物体と接触したとしても、第１傾斜面４１と同様に、その物体を斜めに滑らせるように案内することで、突起部４への引っ掛かりを回避できる。また、突起部４の外側において、鋭い角部の形成を避けることができ、指当たりを和らげることができる。
【００９５】
以上に説明したように、本実施形態のコネクタ収容箱１００は、本体部１と、蓋部２と、ヒンジ部３と、突起部４と、を備える。本体部１は、第１壁１１を有する。蓋部２は、本体部１に対して開閉可能であり、閉じられたときに、第１壁１１の厚み方向である前後方向に交差する方向（上下方向）で本体部１と向かい合う。ヒンジ部３は、本体部１と蓋部２とを接続し、前後方向及び上下方向のそれぞれに交差する方向（左右方向）に延びる。突起部４は、左右方向でヒンジ部３を挟むように対で配置され、それぞれが前後方向で当該第１壁１１から本体部１の外側に突出する。対で配置された突起部４の間でヒンジ部３は１つのみ形成される。本体部１は、第１壁１１の縁部から上へ延びる第１延設部５１を備える。上下方向において第１壁１１から遠い側の第１延設部５１の端部（即ち、第１延設部５１の上端部）Ｅ１は、上下方向において第１壁１１から遠い側の突起部４の端部（即ち、突起部４の上端部）Ｅ２よりも、本体部１から遠い。ヒンジ部３における左右方向での中央部分をヒンジ中央と呼ぶときに、第１延設部５１の左右方向での端部Ｅ３，Ｅ４は、当該端部と同じ側に配置された突起部４におけるヒンジ中央から左右方向で遠い側の端部Ｅ５，Ｅ６よりも、ヒンジ中央から遠い。
【００９６】
このように、ヒンジ部３が延びる方向において、ヒンジ部３の両側に突起部４を設けることで、ヒンジ部３の両端を保護し、破損等を防止することができる。また、蓋部２を開いたときに、本体部１と蓋部２との間で突起部４がない部分に異物が入り込むことを、第１延設部５１によって防止できる。
【００９７】
また、本実施形態のコネクタ収容箱１００において、蓋部２は中空状に形成される。蓋部２が閉じられた状態において、第１延設部５１は、蓋部２の第２収容空間Ｓ２に位置する。
【００９８】
これにより、蓋部２を閉じるときにヒンジ部３の近傍で本体部１と蓋部２との間に異物が挟まれるのを第１延設部５１によって防止できるので、ヒンジ部３の破損等を回避することができる。
【００９９】
また、本実施形態のコネクタ収容箱１００において、本体部１は、第２壁１２と、第２延設部５２と、を備える。第２壁１２は、第１壁１１の一端と接続するように一体的に形成される。第２延設部５２は、第２壁１２の縁部から上へ延びる。第１延設部５１及び第２延設部５２は一体的に形成されている。
【０１００】
これにより、蓋部２を閉じるときに第２壁１２と蓋部２との間に異物が挟まれるのを第２延設部５２によって防止できる。また、第１延設部５１及び第２延設部５２が一体的に形成されているので、機械的な強度を確保でき、第１延設部５１及び第２延設部５２の変形及び破損を防止できる。
【０１０１】
また、本実施形態のコネクタ収容箱１００において、突起部４とヒンジ部３との間に形成される左右方向の隙間Ｄ１が、突起部４の左右方向での幅Ｗ１と比べて短い（Ｄ１＜Ｗ１）。
【０１０２】
これにより、突起部４とヒンジ部３との間に異物が挟まりにくくすることができる。また、突起部４をヒンジ部３に近い位置に設けることで、ヒンジ部３の両端を保護することができる。
【０１０３】
また、本実施形態のコネクタ収容箱１００において、図４等に示すように蓋部２が閉じられた状態において、左右方向におけるヒンジ部３の両端部の厚みは、中央部に比べて大きい。
【０１０４】
これにより、ヒンジ部３が特に外部と接触して破損し易い部分について、機械的強度を向上させることができる。
【０１０５】
また、本実施形態のコネクタ収容箱１００において、突起部４とヒンジ部３との間に形成される左右方向の隙間Ｄ１が、ヒンジ部３の両端部において厚みが大きくなっている部分の左右方向での幅Ｗ２と比べて短い（Ｄ１＜Ｗ２）。
【０１０６】
これにより、突起部４とヒンジ部３との間に異物が挟まりにくくすることができる。また、突起部４をヒンジ部３に近い位置に設けることで、ヒンジ部３の両端を保護することができる。
【０１０７】
また、本実施形態のコネクタ収容箱１００において、突起部４は、図７の鎖線で示すように蓋部２が閉じられた状態において、蓋部２と隙間Ｄ３をあけて対面している。蓋部２が閉じられた状態において、第１壁１１の厚み方向における蓋部２と突起部４との間の隙間Ｄ３は、第１壁１１の厚みより小さい。
【０１０８】
これにより、蓋部２と突起部４との間の隙間に異物が挟まりにくくすることができる。
【０１０９】
また、本実施形態のコネクタ収容箱１００において、蓋部２は中空に形成される。蓋部２が閉じられた状態において、第１延設部５１は、蓋部２の第２収容空間Ｓ２に位置している。蓋部２の内壁には、複数のリブ２６が内部空間に突出するように形成される。蓋部２が閉じられた状態で、複数のリブ２６のそれぞれ（少なくとも、端部２６ａ）は、第１延設部５１よりも第１壁１１から上下方向で遠い位置（即ち、第１延設部５１よりも上側）に設けられている。
【０１１０】
これにより、蓋部２の強度を向上することができる。また、蓋部２を閉じる際に、リブ２６と第１延設部５１とが干渉することを回避できる。
【０１１１】
また、本実施形態のコネクタ収容箱１００において、蓋部２が閉じられた状態で、リブ２６が第１延設部５１に近接している部分である端部２６ａは、当該第１延設部５１が蓋部２の内部空間の中央を向く面よりも、第１延設部５１の厚み方向において蓋部２の内部空間に向けて突出している。
【０１１２】
これにより、蓋部２を閉じるとき、リブ２６により電線を第２収容空間Ｓ２の中央側に寄せることができる。従って、電線が第１延設部５１と蓋部２との間に挟まるのを確実に回避することができる。
【０１１３】
また、本実施形態のコネクタ収容箱１００において、突起部４において、閉じられた状態の蓋部２から遠い側に位置する部分には、蓋部２から離れるにつれて第１壁１１からの突出量が小さくなる第１傾斜面４１が形成されている。
【０１１４】
これにより、突起部４に物が引っ掛かりにくくなるので、突起部４の破損を回避することができる。
【０１１５】
また、本実施形態のコネクタ収容箱１００において、蓋部２は、第２収容空間Ｓ２を形成する第４蓋壁２４を備える。第４蓋壁２４には、開放凹部２８と、周縁リブ２９と、が形成される。開放凹部２８は、蓋部２が閉じられた状態において本体部１に近い側が開放される。周縁リブ２９は、開放凹部２８の周縁に沿って形成され、第４蓋壁２４の厚み方向で外側に突出する。周縁リブ２９は、第２方向における第１延設部５１の端部よりも、第２方向で外側に位置する。
【０１１６】
これにより、開放凹部２８の強度を周縁リブ２９によって向上することができる。また、周縁リブ２９と第１延設部５１との干渉を回避することができる。また、蓋部２が閉じられた状態において、周縁リブ２９は、開放凹部２８の外側から（左右方向で）見たときに第１延設部５１と蓋部２（第１蓋壁２１）との間の隙間を覆う形になるので、第１延設部５１と蓋部２（第１蓋壁２１）との間に異物が挟まることを回避することができる。
【０１１７】
以上に本発明の好適な実施の形態を説明したが、上記の構成は例えば以下のように変更することができる。
【０１１８】
上記の実施形態において、略直方体の本体部１においては、例えば図１及び図２に示すように、左右方向における寸法が、前後方向における寸法より長くなっている。従って、上下方向で本体部１（コネクタ収容箱１００）を見たとき、当該本体部１は左右方向に細長く形成される。本体部１の長手方向である左右方向は、ヒンジ部３のヒンジ軸の方向と一致している。しかしながら、上下方向で本体部１（コネクタ収容箱１００）を見たときの長手方向が、ヒンジ部３のヒンジ軸の方向と垂直となっても良い。また、本体部１（コネクタ収容箱１００）を上下方向で見たときに、正方形状となるように形成されても良い。
【０１１９】
第１延設部５１、第２延設部５２及び第３延設部５３は、一体的に形成せず、互いに別々に形成されても良い。
【０１２０】
第３延設部５３を省略しても良い。また、第２延設部５２を省略しても良い。
【０１２１】
本体部１に形成されるワイヤハーネスガイド部９の形状は様々に変更することができ、また、ワイヤハーネスガイド部９を省略することもできる。また、ワイヤハーネスガイド部９と同様に大きく突出した形状のガイド部を蓋部２側に設けても良い。
【０１２２】
突起部４は、強度を確保するために中実に形成されることが好ましいが、中空に形成されても良い。
【０１２３】
蓋部２が本体部１と向かい合う方向である第１方向は、第１壁１１の厚み方向と垂直でなくても良い。ヒンジ部３が延びる方向である第２方向は、第１壁１１の厚み方向と垂直でなくても良く、第１方向と垂直でなくても良い。
【０１２４】
本体部１のそれぞれの壁は、隣接する壁に対して直交していなくても良い。
【符号の説明】
【０１２５】
１  本体部（収容本体）
２  蓋部（カバー）
３  ヒンジ部
４  突起部
１１  第１壁
５１  第１延設部
１００  コネクタ収容箱（プロテクタ）
【図１】
2020072515.tif 000003
【図２】
2020072515.tif 000004
【図３】
2020072515.tif 000005
【図４】
2020072515.tif 000006
【図５】
2020072515.tif 000007
【図６】
2020072515.tif 000008
【図７】
2020072515.tif 000009
【図８】
2020072515.tif 000010